(57)【要約】【課題】異なる送受信によって得られた複数の素子データを重ね合わせて、素子データを補正する際に、組織の拍動や手ブレ等による画像上の動きがある場合でも、適切に重ね合わせることができ、高画質な画像を得ることができる超音波診断装置、信号処理方法およびプログラムを提供する。【解決手段】複数の第１の素子データを用いて動き量を算出する動き量算出部と、動き量算出部が算出した動き量を用いて、複数の第１の素子データを補正して、複数の第１の素子データから、第１の素子データのいずれかに対応する第２の素子データを生成するデータ処理部と、を有することにより、前記課題を解決する。【選択図】図１
2014183922.tif 000002
【特許請求の範囲】
【請求項１】
超音波ビームを用いて検査対象物を検査する超音波診断装置であって、
前記超音波ビームを送信し、かつ、前記検査対象物によって反射された超音波エコーを受信して、受信した超音波エコーに応じたアナログ素子信号を出力する、複数の素子が配列された探触子と、
前記探触子に、複数の前記素子を用い、所定の送信焦点を形成するように前記超音波ビームを送信させることを、複数回、行わせる送信部と、
個々の前記超音波ビームの送信に対応して、複数の前記素子が出力したアナログ素子信号を受け、所定の処理を施す受信部と、
前記受信部が処理したアナログ素子信号をＡ／Ｄ変換して、デジタル素子信号である第１の素子データとするＡＤ変換部と、
複数の前記第１の素子データから、前記第１の素子データのいずれかに対応する第２の素子データを生成するデータ処理部と、
複数の前記第１の素子データを用いて動き量を算出する動き量算出部とを有し、
前記データ処理部は、前記動き量算出部が算出した前記動き量を用いて、複数の前記第１の素子データを補正して、前記第１の素子データのいずれかに対応する前記第２の素子データを生成することを特徴とする超音波診断装置。
【請求項２】
前記データ処理部は、前記動き量を用いて、複数の前記第１の素子データ間の時間差を補正する請求項１に記載の超音波診断装置。
【請求項３】
前記動き量算出部は、複数の前記第１の素子データをそれぞれ整相加算して得られる複数の受信データを用いて前記動き量を算出する請求項１または２に記載の超音波診断装置。
【請求項４】
前記動き量算出部は、複数の前記第１の素子データをそれぞれ整相加算して得られる複数の受信データに対して検波処理を行った後のデータを用いて前記動き量を算出する請求項１または２に記載の超音波診断装置。
【請求項５】
前記動き量算出部は、複数の前記第１の素子データをそれぞれ処理して得られる複数のライン状の画像を用いて前記動き量を算出する請求項１または２に記載の超音波診断装置。
【請求項６】
前記送信部は、中心となる素子の変更、および、超音波ビームの送信方向の変更の少なくとも一方を行って、前記探触子に前記複数回の超音波ビームの送信を行わせる請求項１〜５のいずれか１項に記載の超音波診断装置。
【請求項７】
前記データ処理部は、中心となる素子が互いに異なる前記超音波ビームの送信で得られた複数の前記第１の素子データ、および、送信方向が互いに異なる前記超音波ビームの送信で得られた複数の前記第１の素子データの、少なくとも一方を用いて、前記第２の素子データを生成する請求項６に記載の超音波診断装置。
【請求項８】
前記データ処理部は、送信領域が重なり合う前記超音波ビームの送信で得られた、複数の前記第１の素子データから、前記第２の素子データを生成する請求項１〜７のいずれか１項に記載の超音波診断装置。
【請求項９】
前記データ処理部は、複数の前記第１の素子データを、前記素子が超音波エコーを受信した受信時間および前記素子の位置に応じて重ね合わせて、前記第２の素子データを生成する請求項１〜８のいずれか１項に記載の超音波診断装置。
【請求項１０】
さらに、複数の前記第１の素子データに対して、同じ前記素子に対応するラインを中心にしてそれぞれ整相加算を行い複数の第１の受信データを生成する整相加算部を有し、
前記データ処理部は、複数の前記第１の受信データから、前記第１の受信データのいずれかに対応する第２の受信データを生成する請求項１〜９のいずれか１項に記載の超音波診断装置。
【請求項１１】
前記動き量算出部は、前記検査対象物における組織の動き量、および、検査時の手ブレの動き量の少なくとも１つを算出するものである請求項１〜１０のいずれか１項に記載の超音波診断装置。
【請求項１２】
前記検査対象物における組織の動き量は、拍動によって動いた組織の動き量である請求項１１に記載の超音波診断装置。
【請求項１３】
超音波ビームを送信し、かつ、検査対象物によって反射された超音波エコーを受信して、受信した超音波エコーに応じたアナログ素子信号を出力する、複数の素子が配列された探触子を用いて前記検査対象物を検査する超音波診断装置の信号処理方法であって、
前記探触子によって、複数の前記素子を用い、所定の送信焦点を形成するように超音波ビームを送信することを、複数回、行う送信ステップと、
個々の前記超音波ビームの送信に対応して、複数の前記素子がアナログ素子信号を出力する受信ステップと、
前記アナログ素子信号をＡ／Ｄ変換して、デジタル素子信号である第１の素子データを生成するＡＤ変換ステップと、
複数の前記第１の素子データから、前記第１の素子データのいずれかに対応する第２の素子データを生成するデータ処理ステップと、
複数の前記第１の素子データを用いて動き量を算出する動き量算出ステップとを有し、
前記データ処理ステップは、前記動き量算出ステップで算出した前記動き量を用いて、複数の前記第１の素子データを補正して、前記第１の素子データのいずれかに対応する前記第２の素子データを生成することを特徴とする超音波診断装置の信号処理方法。
【請求項１４】
超音波ビームを送信し、かつ、検査対象物によって反射された超音波エコーを受信して、受信した超音波エコーに応じたアナログ素子信号を出力する、複数の素子が配列された探触子を用いて前記検査対象物を検査する超音波診断装置の信号処理方法をコンピュータに実行させるプログラムであって、
前記探触子によって、複数の前記素子を用い、所定の送信焦点を形成するように超音波ビームを送信することを、複数回、行う送信ステップと、
個々の前記超音波ビームの送信に対応して、複数の前記素子がアナログ素子信号を出力する受信ステップと、
前記アナログ素子信号をＡ／Ｄ変換して、デジタル素子信号である第１の素子データを生成するＡＤ変換ステップと、
複数の前記第１の素子データを用いて動き量を算出する動き量算出ステップと、
前記動き量算出ステップで算出した前記動き量を用いて、複数の前記第１の素子データから、前記第１の素子データのいずれかに対応する第２の素子データを生成するデータ処理ステップと、をコンピュータに実行させることを特徴とする超音波診断装置の信号処理プログラム。
【発明の詳細な説明】
【技術分野】
【０００１】
本発明は、超音波ビームを送受信することにより生体内の臓器等の検査対象物の撮像を行って、検査対象物の検査や診断のために用いられる超音波画像を生成する超音波診断装置、信号処理方法およびプログラムに関する。
【背景技術】
【０００２】
従来から、医療分野において、超音波画像を利用した超音波画像診断装置等の超音波診断装置が実用化されている。
一般に、この種の超音波診断装置は、複数の素子（超音波トランスデューサ）を内蔵した超音波プローブ（超音波探触子  以下、プローブとも言う）と、このプローブに接続された装置本体とを有している。超音波診断装置では、プローブの複数の素子から所定の焦点（送信焦点）を形成するように被検体（検査対象物）に向けて超音波ビームを送信し、被検体からの超音波エコーをプローブで受信して、受信した超音波エコーの受信信号を装置本体で電気的に処理することにより超音波画像が生成される。
【０００３】
超音波診断装置では、一回の超音波ビームの送信による被検体からの超音波エコーを、複数の素子で受信する。従って、同一の反射体で反射された超音波エコーでも、各素子の位置に応じて、超音波エコーの受信時間は遅延する。
そのため、超音波診断装置では、各素子で受信した超音波エコーの受信信号をＡ／Ｄ（アナログ／デジタル）変換してデジタルの受信信号（以下、素子データとする）とした後、この素子データを受信フォーカス処理、即ち、受信信号の遅延時間に応じた遅延補正を行い、位相を合わせ整相加算して受信データ（音線信号）を生成し、各ラインに対応する複数の受信データによって、１つの超音波画像を生成している。
【０００４】
ここで、超音波ビームは、所定の送信遅延パターンに基づいて複数の素子を駆動し、設定した焦点を形成するように送信される。このような超音波ビームは横方向に幅を有する形状となる。そのため、横方向にずれた位置にある反射点の情報を拾ってしまうため、横方向の解像度が低いという問題があった。
このような問題に対して、超音波診断装置では、１つの超音波画像の生成において、各送信によって得られた複数のデータ（素子データあるいは受信データ）を受信時間や素子の位置に応じて重ね合わせて、データを補正する、いわゆるマルチライン処理を行うことにより、解像度を向上させることが行われている。
【０００５】
しかしながら、補正のために重ね合わせる各データはそれぞれ異なるタイミングで送受信されて取得されたデータである。そのため、例えば、組織の拍動や手ブレによって画像上の動きがあった場合には、画像上での位置がずれてしまい、マルチライン処理の際に適切に重ね合わせることができず、画質を向上させることができないという問題があった。
【０００６】
そこで、特許文献１では、連続するフレーム間で画像の相関を取ることで画像上の動きを検出して、動きに応じて、マルチライン処理の際に重ね合わせるデータの数を変えることが行われている。具体的には、動きが大きい時ほど、データの数を少なくすることで動きの影響を抑制することが行われている。
【先行技術文献】
【特許文献】
【０００７】
【特許文献１】特開２００９−５３６８５４号公報
【発明の概要】
【発明が解決しようとする課題】
【０００８】
しかしながら、特許文献１に記載される超音波診断装置においては、画像上の動きが大きいほど、重ね合わせるデータの数を少なくするため、通常の超音波画像に近づいてしまい、マルチライン処理を行っても高画質な画像を得ることができないという問題があった。また、動き自体に対しては何ら補正を行っていないため、動きの影響により画質が低下してしまうという問題があった。
【０００９】
本発明の目的は、このような従来技術の問題点を解決することにあり、超音波診断装置において、１つの超音波画像を生成するための、異なる送受信によって得られた複数のデータを重ね合わせて、データを補正する際に、組織の拍動や手ブレによる画像上の動きがある場合でも、適切に重ね合わせることができ、高画質な画像を得ることができる超音波診断装置、信号処理方法およびプログラムを提供することにある。
【課題を解決するための手段】
【００１０】
上記目的を達成するために、本発明は、超音波ビームを用いて検査対象物を検査する超音波診断装置であって、超音波ビームを送信し、かつ、検査対象物によって反射された超音波エコーを受信して、受信した超音波エコーに応じたアナログ素子信号を出力する、複数の素子が配列された探触子と、探触子に、複数の素子を用い、所定の送信焦点を形成するように超音波ビームを送信させることを、複数回、行わせる送信部と、個々の超音波ビームの送信に対応して、複数の素子が出力したアナログ素子信号を受け、所定の処理を施す受信部と、受信部が処理したアナログ素子信号をＡ／Ｄ変換して、デジタル素子信号である第１の素子データとするＡＤ変換部と、複数の第１の素子データから、第１の素子データのいずれかに対応する第２の素子データを生成するデータ処理部と、複数の第１の素子データを用いて動き量を算出する動き量算出部とを有し、データ処理部は、動き量算出部が算出した動き量を用いて、複数の第１の素子データを補正して、第１の素子データのいずれかに対応する第２の素子データを生成することを特徴とする超音波診断装置を提供する。
【００１１】
このような本発明の超音波診断装置において、データ処理部は、動き量を用いて、複数の第１の素子データ間の時間差を補正するのが好ましい。
【００１２】
また、動き量算出部は、複数の第１の素子データをそれぞれ整相加算して得られる複数の受信データを用いて動き量を算出するのも好ましい。
あるいは、動き量算出部は、複数の第１の素子データをそれぞれ整相加算して得られる複数の受信データに対して検波処理を行った後のデータを用いて動き量を算出するのも好ましい。
あるいは、動き量算出部は、複数の第１の素子データをそれぞれ処理して得られる複数のライン状の画像を用いて動き量を算出するのも好ましい。
【００１３】
また、送信部は、中心となる素子の変更、および、超音波ビームの送信方向の変更の少なくとも一方を行って、探触子に複数回の超音波ビームの送信を行わせるのが好ましい。
また、データ処理部は、中心となる素子が互いに異なる超音波ビームの送信で得られた複数の第１の素子データ、および、送信方向が互いに異なる前記超音波ビームの送信で得られた複数の前記第１の素子データの、少なくとも一方を用いて、第２の素子データを生成するのが好ましい。
また、データ処理部は、送信領域が重なり合う超音波ビームの送信で得られた、複数の第１の素子データから、第２の素子データを生成するのが好ましい。
【００１４】
また、データ処理部は、複数の第１の素子データを、素子が超音波エコーを受信した受信時間および素子の位置に応じて重ね合わせて、第２の素子データを生成するのが好ましい。
さらに、複数の第１の素子データに対して、同じ素子に対応するラインを中心にしてそれぞれ整相加算を行い複数の第１の受信データを生成する整相加算部を有し、データ処理部は、複数の第１の受信データから、第１の受信データのいずれかに対応する第２の受信データを生成するのも好ましい。
【００１５】
また、動き量算出部は、検査対象物における組織の動き量、および、検査時の手ブレの動き量の少なくとも１つを算出するものであるのが好ましい。
また、検査対象物における組織の動き量は、拍動によって動いた組織の動き量であるのが好ましい。
【００１６】
また、上記目的を達成するため本発明は、超音波ビームを送信し、かつ、検査対象物によって反射された超音波エコーを受信して、受信した超音波エコーに応じたアナログ素子信号を出力する、複数の素子が配列された探触子を用いて検査対象物を検査する超音波診断装置の信号処理方法であって、探触子によって、複数の素子を用い、所定の送信焦点を形成するように超音波ビームを送信することを、複数回、行う送信ステップと、個々の超音波ビームの送信に対応して、複数の素子がアナログ素子信号を出力する受信ステップと、アナログ素子信号をＡ／Ｄ変換して、デジタル素子信号である第１の素子データを生成するＡＤ変換ステップと、複数の第１の素子データから、第１の素子データのいずれかに対応する第２の素子データを生成するデータ処理ステップと、複数の第１の素子データを用いて動き量を算出する動き量算出ステップとを有し、データ処理ステップは、動き量算出ステップで算出した動き量を用いて、複数の第１の素子データを補正して、第１の素子データのいずれかに対応する第２の素子データを生成することを特徴とする超音波診断装置の信号処理方法を提供する。
【００１７】
さらに、上記目的を達成するため本発明は、超音波ビームを送信し、かつ、検査対象物によって反射された超音波エコーを受信して、受信した超音波エコーに応じたアナログ素子信号を出力する、複数の素子が配列された探触子を用いて検査対象物を検査する超音波診断装置の信号処理方法をコンピュータに実行させるプログラムであって、探触子によって、複数の素子を用い、所定の送信焦点を形成するように超音波ビームを送信することを、複数回、行う送信ステップと、個々の超音波ビームの送信に対応して、複数の素子がアナログ素子信号を出力する受信ステップと、アナログ素子信号をＡ／Ｄ変換して、デジタル素子信号である第１の素子データを生成するＡＤ変換ステップと、複数の第１の素子データを用いて動き量を算出する動き量算出ステップと、動き量算出ステップで算出した動き量を用いて、複数の第１の素子データから、第１の素子データのいずれかに対応する第２の素子データを生成するデータ処理ステップと、をコンピュータに実行させることを特徴とする超音波診断装置の信号処理プログラムを提供する。
【発明の効果】
【００１８】
このような本発明によれば、異なる送信によって得られた複数のデータを重ね合わせて、データを補正する際に、組織の拍動や手ブレによって画像上の動きがある場合であっても、適切に重ね合わせることができ、高画質な超音波画像を得ることができる。
【図面の簡単な説明】
【００１９】
【図１】本発明の超音波診断装置の構成の一例を概念的に示すブロック図である。
【図２】（Ａ）〜（Ｃ）は、図１に示す超音波診断装置における動き量算出の一例を説明するための概念図である。
【図３】図１に示す超音波診断装置における受信フォーカス処理の一例を説明するための概念図である。
【図４】図１に示す超音波診断装置の素子データ処理部の構成の一例を概念的に示すブロック図である。
【図５】（ａ）および（ｃ）は、それぞれ理想的な超音波ビームによる超音波の送受信を説明するための概念図であり、（ｂ）および（ｄ）は、それぞれの超音波の送受信で得られる素子データを示す概念図である。
【図６】（ａ）および（ｃ）は、それぞれ実際の超音波ビームによる超音波の送受信を説明するための概念図であり、（ｂ）および（ｄ）は、それぞれの超音波の送受信で得られる素子データを示す概念図である。
【図７】（ａ）および（ｂ）は、同じ反射点に対して、互いに異なる中心素子による超音波の送受信を行った場合の音波の経路を説明するための概念図であり、（ｃ）は、複数の素子で得られる素子データを、（ｄ）は、（ｃ）に示す素子データの遅延時間を、それぞれ説明するための概念図である。
【図８】（ａ）、（ｂ）および（ｃ）は真の信号の、（ｄ）、（ｅ）および（ｆ）はゴーストの、それぞれ素子データ、それらの遅延時間および素子データの重ね合わせ状態を説明するための概念図であり、（ｇ）は、複数の素子に対応する素子データの重ね合わせ状態を、（ｈ）は、（ｇ）における素子データの重ね合わせの結果を、それぞれ説明するための概念図である。
【図９】図１に示す超音波診断装置の作用を説明するためのフローチャートである。
【図１０】本発明の超音波診断装置の構成の他の一例を概念的に示すブロック図である。
【図１１】（Ａ）〜（Ｃ）は、図１０に示す超音波診断装置における動き量算出の一例を説明するための概念図である。
【図１２】本発明の超音波診断装置の構成の他の一例を概念的に示すブロック図である。
【図１３】図１３に示す超音波診断装置のデータ処理部の構成の一例を概念的に示すブロック図である。
【図１４】素子データと素子とを概念的に示す図である。
【図１５】（Ａ）〜（Ｃ）は、図１３に示すデータ処理部の整相加算、および、重ね合わせ処理を説明するための図である。
【発明を実施するための形態】
【００２０】
以下、本発明の超音波診断装置、信号処理方法およびプログラムについて、添付の図面に示される好適な第１実施形態を基に、詳細に説明する。
【００２１】
図１に、本発明の信号処理方法を実施する、本発明の超音波診断装置の一例を、ブロック図によって概念的に示す。
【００２２】
図１に示すように、超音波診断装置１０は、超音波プローブ１２と、超音波プローブ１２に接続される送信部１４および受信部１６と、Ａ／Ｄ変換部１８と、素子データ記憶部２０と、動き量算出部２１と、素子データ処理部２２と、画像生成部２４と、表示制御部２６と、表示部２８と、制御部３０と、操作部３２と、格納部３４とを有する。
図示例においては、送信部１４、受信部１６、Ａ／Ｄ変換部１８、素子データ記憶部２０、動き量算出部２１、素子データ処理部２２、画像生成部２４、表示制御部２６、表示部２８、制御部３０、操作部３２、および、格納部３４が、超音波診断装置１０の装置本体を構成する。
【００２３】
超音波プローブ（超音波探触子）１２は、通常の超音波診断装置に用いられる、公知の超音波プローブである。
超音波プローブ１２（以下、プローブ１２とする）は、超音波トランスデューサを一次元的または二次元的に配列してなる振動子アレイ３６を有する。
超音波トランスデューサは、検査対象物（以下、被検体という）の超音波画像の撮像の際に、それぞれ送信部１４から供給される駆動信号に従って超音波ビームを被検体に送信すると共に、被検体で反射された超音波エコーを受信して、受信した超音波の強さに応じた受信信号を出力する。
【００２４】
各超音波トランスデューサは、例えば、ＰＺＴ（チタン酸ジルコン酸鉛）に代表される圧電セラミックや、ＰＶＤＦ（ポリフッ化ビニリデン）に代表される高分子圧電素子、ＰＭＮ−ＰＴ（マグネシウムニオブ酸・チタン酸鉛固溶体）に代表される圧電単結晶等からなる圧電体の両端に電極を形成した、振動子で構成される。
【００２５】
このような振動子の電極に、パルス状または連続波状の電圧を印加すると、印加された電圧に応じて圧電体が伸縮し、それぞれの振動子からパルス状または連続波の超音波を発生する。また、各振動子から発生した超音波は、各振動子の駆動の遅延に応じて、設定された焦点に収束して合成されて（すなわち送信フォーカスされて）、超音波ビームが形成される。
また、振動子は、被検体内で反射された超音波エコーが入射することで伸縮し、この伸縮の大きさ応じた電気信号を発生する。この電気信号が、受信信号（アナログの素子信号）として、受信部１６に出力される。
【００２６】
送信部１４は、例えば、複数のパルサを有し、プローブ１２の各超音波トランスデューサ（振動子）に、駆動信号を供給する（駆動電圧を印加する）。
送信部１４は、制御部３０が選択した送信遅延パターンに基づいて、所定数（複数）の超音波トランスデューサが送信する超音波が、設定した焦点に収束する超音波ビームを形成するように、駆動信号の遅延量（駆動電圧の印加タイミング）を調節する送信フォーカスを行って、駆動信号を超音波トランスデューサに供給する。
これにより、プローブ１２（振動子アレイ３６）から被検体に、目的とする超音波ビームが送信される。
【００２７】
受信部１６は、制御部３０からの制御信号に応じて、１回の超音波ビームの送信に対応して、所定数（複数）の超音波トランスデューサが出力した受信信号を受け取り、増幅等の所定の処理を施して、Ａ／Ｄ変換部１８に供給する。
【００２８】
なお、本発明の超音波診断装置１０において、超音波の送受信の方法は、基本的に、公知の超音波診断装置と同様である。すなわち、１つの超音波画像を形成するために、送受信位置を順次、移動させて複数の位置（ライン）で送受信を行う。
従って、１回の超音波の送受信（１本の超音波ビームの送信、および、この送信に対応する超音波エコーの受信）において、超音波を発生する超音波トランスデューサの数（送信開口の数）、および、超音波を受信（受信部１６が受信信号を受け取る）する超音波トランスデューサの数（受信開口の数）は、共に、複数であれば、限定は無い。また、１回の送受信において、送信と受信とで、開口数は、同じでも異なってもよい。
また、少なくとも方位方向（アジマス方向（超音波トランスデューサの配列方向））に隣接する超音波ビームで、送信領域が重複していれば、１つの超音波画像を形成するための超音波の送受信の回数（音線数）や、送受信の中心となる超音波トランスデューサ（中心素子）の間隔（すなわち走査線／音線の密度）にも、限定は無い。従って、超音波で走査する領域に対応する全ての超音波トランスデューサを中心素子として超音波の送受信を行ってもよく、２個置きや４個置きなどの所定間隔の超音波トランスデューサを中心素子として超音波の送受信を行ってもよい。
【００２９】
Ａ／Ｄ変換部１８は、受信部１６から供給されたアナログの受信信号を、アナログ／デジタル変換して、デジタルの受信信号である素子データ（第１の素子データ）とする。
Ａ／Ｄ変換部１８は、Ａ／Ｄ変換した素子データを素子データ記憶部２０に供給する。
【００３０】
素子データ記憶部２０は、Ａ／Ｄ変換部１８から供給された素子データを、順次、記憶する。また、素子データ記憶部２０は、制御部３０から入力されるフレームレートに関する情報（例えば、超音波の反射位置の深度、走査線の密度、視野幅を示すパラメータ）を、各素子データに関連付けて格納する。
好ましくは、素子データ記憶部２０は、少なくとも１つの超音波画像（１フレームの超音波画像）に対応する全ての素子データを記憶し、かつ、少なくとも超音波画像の表示を終了するまでは、表示中および表示前の超音波画像の素子データを消去しない。
【００３１】
動き量算出部２１は、隣接するライン間で素子データの相互相関を取ることで相関値を評価して、画像上の動き量Ｍを算出する部位である。
動き量算出部２１は、素子データ記憶部２０から隣接するラインに対応する２つの素子データを読み出し、２つの素子データの信号の類似度を評価することで、信号の関係（同期している、片方が遅れている、無関係である等）、すなわち、動き量Ｍを算出する。なお、２つの素子データの相互相関の評価方法は、例えば、特許文献１に記載される方法等、種々の公知の方法を利用することができる。
【００３２】
図２（Ａ）〜（Ｃ）に、動き量算出の一例を説明するための概念図を示す。
図２（Ａ）は、振動子アレイ３６と被検体内とを模式的に示す図であり、図２（Ｂ）は、図２（Ａ）に示すｎ番目の素子（超音波トランスデューサ）を中心素子として超音波を送受信して得られた素子データ（ｎ番目の素子データ）を示す図であり、図２（Ｃ）は、図２（Ａ）に示すｎ＋１番目の素子を中心素子として超音波を送受信して得られた素子データ（ｎ＋１番目の素子データ）を示す図である。
【００３３】
図２（Ａ）において、プローブ１２が有する複数の超音波トランスデューサ（振動子アレイ３６）は、同図中左右方向に一列に配列されている。また、同図中の振動子アレイ３６の下側に被検体が配置されている。
【００３４】
ここで、組織の拍動等により、画像上の動きがあった場合、各素子データは、それぞれ異なる状態の組織の情報を有するデータとなる。
例えば、ｎ番目の素子を中心素子として超音波を送受信した際には、組織の境界は、図２（Ａ）の実線の位置にあり、ｎ＋１番目の素子を中心素子として超音波を送受信した際には、組織の境界は、同図中の一点鎖線の位置あった場合には、組織の境界を反射点（図中黒丸で示す）として、それぞれ図２（Ｂ）および（Ｃ）に実線で示す信号を得る。
【００３５】
ここで、ｎ＋１番目の素子を中心素子として超音波を送受信した際に、組織の境界が同図中の実線の位置にあったとすると、白丸で示す位置を反射点として、図２（Ｃ）に破線で示す信号を得る。すなわち、図２（Ｃ）に実線で示す信号と破線で示す信号との時間差がｎ＋１番目の素子データにおける動き量Ｍｎ＋１となる。ｎ番目の素子データとｎ＋１番目の素子データは、互いに隣接した素子をそれぞれ中心としているので、図２（Ｂ）に実線で示す信号と、図２（Ｃ）に破線で示す信号は、相似した（ほぼ同等の）信号であるとみなすことができる。従って、ｎ番目の素子データとｎ＋１番目の素子データとの相互相関を取ることで、ｎ＋１番目の素子データにおける動き量Ｍｎ＋１を算出することができる。
【００３６】
動き量算出部２１は、全ての素子データについて、それぞれ隣接する素子データとの相互相関を取って、各素子データの動き量Ｍを算出する。
動き量算出部２１は、算出した動き量Ｍの情報を素子データ処理部２２に供給する。
【００３７】
なお、動き量算出部２１は、１つの素子データ同士を比較して動き量Ｍを算出する構成としたが、これに限定はされず、近傍の複数のラインに対応する複数の素子データを平均化したもの同士を比較して動き量を算出する構成としてもよい。
【００３８】
素子データ処理部２２は、素子データを重ね合わせて、各素子データに対応する処理済素子データ（第２の素子データ）を生成する部位である。
具体的には、素子データ処理部２２は、制御部３０による制御に基づいて、素子データ記憶部２０に記憶された素子データのうち、中心となる超音波トランスデューサ（中心となる素子（中心素子））が異なり、かつ、超音波ビームの送信領域が重なり合う、所定数（複数）の超音波ビームの送信で得られた素子データを、動き量算出部２１から供給された動き量Ｍ、各超音波トランスデューサが超音波エコーを受信した時間、および、超音波トランスデューサの位置に応じて重ね合わせて、素子データ（後述する注目素子の素子データ）に対応する処理済素子データを生成する。
素子データ処理部２２における処理については、後に詳述する。
素子データ処理部２２は、生成した処理済素子データを、画像生成部２４に送る。
【００３９】
画像生成部２４は、制御部３０による制御に基づいて、素子データ処理部２２から供給された処理済素子データから受信データ（音線信号）を生成し、この受信データから超音波画像を生成するものである。
画像生成部２４は、整相加算部３８、検波処理部４０、ＤＳＣ４２、画像処理部４４、および、画像メモリ４６を有する。
【００４０】
整相加算部３８は、素子データ処理部２２が生成した処理済素子データを整合加算して受信フォーカス処理を行い、受信データを生成する。
前述のように、プローブ１２の振動子アレイ３６は、複数の素子（超音波トランスデューサ）を一次元的あるいは二次元的に配列してなるものである。従って、被検体内の１つの反射点との間の距離は、各々超音波トランスデューサで異なる。そのため、同じ反射点で反射された超音波エコーであっても、各超音波トランスデューサに超音波エコーが到達する時間が異なる。整相加算部３８は、制御部３０が選択した受信遅延パターンに応じて、各超音波トランスデューサ毎の超音波エコーの到達時刻の差（遅延時間）に相当する分、各処理済素子データを遅延して、遅延時間を与えた処理済素子データを整合加算することにより、デジタル的に受信フォーカス処理を行い、受信データを生成する。
整相加算部３８は、生成した受信データを、検波処理部４０に供給する。
【００４１】
図３に、受信フォーカス処理の一例を示す。
ここで、図３は、プローブ１２が有する複数の超音波トランスデューサが、同図中左右方向に一列に配列されている、リニアプローブの場合である。しかしながら、コンベックスプローブの場合もプローブ形状が違うだけで、考え方は同じでよい。
【００４２】
方位方向における各々の超音波トランスデューサの幅をＬとすると、方位方向の中心の超音波トランスデューサから端部に向かってｎ番目の超音波トランスデューサまでの距離はｎＬとなる。
同図に示すように、超音波の反射点が、中心の超音波トランスデューサから配列方向に対して垂直な距離（深さ）ｄの位置にあるとすると、ｎ番目の超音波トランスデューサと反射点との間の距離（長さ）ｄnは、式（１）により算出される。
ｄn＝（（ｎＬ）2＋ｄ2）1/2  …  （１）
従って、被検体内の超音波の音速（環境音速）Ｖａを用いて、超音波エコーが反射点からｎ番目の超音波トランスデューサに到達（受信）する時間ｔｎは、式（２）により算出される。
ｔn＝ｄn／Ｖａ＝（（ｎＬ）2＋ｄ2）1/2／Ｖａ  …  （２）
【００４３】
前述のように、超音波トランスデューサと反射点との間の距離は、各超音波トランスデューサ毎に異なる。そのため、この例の場合、同図上部のグラフに示すように、超音波エコーの到達時間ｔnは、配列方向の端部側の超音波トランスデューサほど、長くなる。
具体的には、ｎ番目の超音波トランスデューサで受信される超音波は、超音波が反射点から中心の超音波トランスデューサで受信されるまでの時間をｔ1とすると、中心の超音波トランスデューサで受信される超音波に対して、時間Δｔ＝ｔn−ｔ1だけ遅れる。本例では、この遅延時間Δｔが、すなわち、受信遅延パターンである。
整相加算部３８は、各々の超音波トランスデューサに対応する受信データについて、上記時間Δｔで表される遅延時間を用いて整相加算を行い、受信フォーカス処理を行う。
【００４４】
検波処理部４０は、整相加算部３８が生成した受信データに対し、超音波の反射位置の深度に応じて距離による減衰の補正を施した後、包絡線検波処理を施すことにより、被検体内における断層の画像情報（輝度画像情報）であるＢモード画像データを生成する。
ＤＳＣ（digital scan converter）４２は、検波処理部４０で生成されたＢモード画像データを、通常のテレビジョン信号の走査方式に対応する画像データに変換（ラスター変換）する。
【００４５】
画像処理部４４は、ＤＳＣ４２から入力されるＢモード画像データに、階調処理等の各種の必要な画像処理を施して、表示に供するためのＢモード画像データとする。画像処理部４４は、画像処理済のＢモード画像データを、表示のために表示制御部２６に出力し、および／または、画像メモリ４６に格納する。
画像メモリ４６は、画像処理部４４が処理したＢモード画像データを格納する、公知の記憶手段（記憶媒体）である。画像メモリ４６に格納されたＢモード画像データは、必要に応じて、表示部２８で表示するために表示制御部２６に読み出される。
【００４６】
表示制御部２６は、画像処理部４４によって所定の画像処理が施されたＢモード画像データを用いて、表示部２８に超音波画像を表示させる。
表示部２８は、例えば、ＬＣＤ等のディスプレイ装置を含んでおり、表示制御部２６の制御の下で、超音波画像を表示する。
【００４７】
制御部３０は、操作者により操作部３２から入力された指令に基づいて超音波診断装置１０の各部の制御を行う部位である。
また、制御部３０は、操作部３２を用いて操作者によって入力された各種の情報を、必要な部位に供給する。例えば、操作部３２に、動き量算出部２１で用いられる動き量算出に必要な情報、素子データ処理部２２および画像生成部２４の整相加算部３８で用いられる遅延時間算出に必要な情報、ならびに、素子データ処理部２２における素子データ処理に必要な情報の入力が行われた場合には、これらの情報を、必要に応じて、送信部１４、受信部１６、素子データ記憶部２０、動き量算出部２１、素子データ処理部２２、画像生成部２４および表示制御部２６等の各部に供給する。
【００４８】
操作部３２は、操作者が入力操作を行うためのものであり、キーボード、マウス、トラックボール、タッチパネル等から形成することができる。
また、操作部３２は、操作者が、必要に応じて各種の情報を入力するための、入力機能を備えている。例えば、操作部３２は、プローブ１２（超音波トランスデューサ）の情報、プローブ１２（振動子アレイ３６）における送信開口および受信開口、重ね合わせる素子データ数や方法などの処理済素子データの生成に関する情報、超音波ビームの焦点位置等を入力するための、入力機能を備えている。
これらは、例えば、撮影部位（診察部位）の選択、画質の選択、撮影する超音波画像の深度の選択等によって、入力される。
【００４９】
格納部３４は、制御部３０が超音波診断装置１０の各部の制御を実行するための動作プログラム、送信遅延パターンおよび受信遅延パターン、処理済素子データの生成に関する情報、さらには、操作部３２から入力されたプローブ１２の情報、送信開口および受信開口、焦点位置の情報など、制御部３０が超音波診断装置の動作や制御を行うための必要な情報等を格納するものである。
格納部３４には、ハードディスク、フレキシブルディスク、ＭＯ、ＭＴ、ＲＡＭ、ＣＤ−ＲＯＭ、ＤＶＤ−ＲＯＭ等の公知の記録媒体を用いることができる。
【００５０】
なお、超音波診断装置１０において、動き量算出部２１、素子データ処理部２２、整相加算部３８、検波処理部４０、ＤＳＣ４２、画像処理部４４、および表示制御部２６等は、ＣＰＵと、ＣＰＵに各種の処理を行わせるための動作プログラムから構成される。しかしながら、本発明においては、これらの部位をデジタル回路で構成してもよい。
【００５１】
前述のように、素子データ処理部２２は、素子データ記憶部２０に記憶された素子データ（未処理素子データ）のうち、中心となる超音波トランスデューサ（中心素子）が異なり、かつ、超音波ビームの送信領域が重なる、所定数（複数）の超音波ビームの送信で得られた素子データを、動き量算出部２１が算出した動き量、各超音波トランスデューサが受信した時間および超音波トランスデューサの位置に応じて重ね合わせて、処理済素子データを生成する部位である。
なお、以下の説明では、超音波トランスデューサのことを、単に『素子』とも言う。
【００５２】
図４に、素子データ処理部２２の構成を、ブロック図で概念的に示す。
図４に示すように、素子データ処理部２２は、動き量補正部４７と、遅延時間算出部４８と、重ね合わせ処理部４９とを有する。
【００５３】
動き量補正部４７は、動き量算出部２１が算出した動き量Ｍに基づいて、素子データ記憶部２０から読み出した素子データを補正する。具体的には、動き量補正部４７は、例えば、ｎ番目の素子データを基準として、ｎ＋１番目の素子データに対しては、動き量Ｍｎ＋１分だけ時間軸上でデータをシフトする。また、ｎ＋２番目の素子データに対して、動き量Ｍｎ＋１＋Ｍｎ＋２分だけデータをシフトする。すなわち、基準の素子データから自身までの間の全ての動き量Ｍ分だけデータをシフトする。
全ての素子データに対して、同じ素子データを基準として動き量を補正することにより、組織の拍動の影響を低減して、実質的に同じ状態の組織の情報を有する素子データとみなすことができる。
動き量補正部４７は、動き量を補正した素子データを重ね合わせ処理部４９に供給する。
【００５４】
なお、基準とする素子データには特に限定はなく、１番目の素子データを基準としてもよく、振動子アレイ３６の配列の中央の素子に対応する素子データを基準としてもよい。
【００５５】
遅延時間算出部４８は、操作部３２から入力された、もしくは、操作部３２から入力されて格納部３４に格納されているプローブ１２（超音波トランスデューサ（素子））、超音波ビームの焦点位置、プローブ１２の送信開口および受信開口などに関する情報を事前に取得しておく。
また、遅延時間算出部４８は、超音波ビームを送信（生成）するために超音波を発振する送信開口の素子と、被検体からの超音波エコーを受信する受信開口の素子との幾何学的な位置に基づいて、受信開口の素子で受信される超音波エコーすなわち素子データの遅延時間を算出する。
【００５６】
重ね合わせ処理部４９は、操作部３２から入力された、もしくは、操作部３２から入力されて格納部３４に格納されている、重ね合わせる素子データの数および重ね合わせ処理方法等の素子データ処理に関する情報に基づいて、素子データ記憶部２０に記憶されている素子データから、重ね合わせを行う素子データ（中心素子が異なり、かつ、送信領域が重なる超音波ビームで得られた素子データ（２以上の対象領域毎に生成された２以上の素子データ））を読み出す。
ここで、読み出した素子データは、動き量補正部４７で動き量を補正された後に重ね合わせ処理部４９に供給される。なお、以下の説明では、動き量を補正された素子データを補正後素子データというが、遅延時間算出部４８および重ね合わせ処理部４９の説明においては、単に素子データともいう。
さらに、重ね合わせ処理部４９は、遅延時間算出部４８で算出された、それぞれの素子データに対応する遅延時間に基づいて、２以上の補正後素子データを、受信時間上で、即ち時間を合わせて、かつ、受信された探触子の素子の絶対的な位置を合わせて、重ね合わせて、処理済素子データを生成する。
【００５７】
以下に、素子データ処理部２２で行う素子データの処理について、詳細に説明する。
初めに、超音波プローブ１２において、送信開口すなわち超音波ビームを送信するために超音波を発信する素子（以下、単に送信素子という）から、被検体に超音波ビームを送信し、被検体との間の相互作用によって発生された超音波エコーを、受信開口すなわち超音波エコーの受信を行う素子（以下、単に受信素子という）で受信して、素子データを得る場合において、送信素子からの超音波ビームと受信素子で得られる素子データとの関係について説明する。
【００５８】
一例として、図５（ａ）に示すように、３つの素子５２ｃ〜５２ｅを送信素子として超音波ビームを送信し、７つの素子５２ａ〜５２ｇを受信素子として超音波エコーを受信する。次いで、図５（ｃ）に示すように、１素子分、素子を方位方向に移動（以下、シフトとも言う）して、３つの素子５２ｄ〜５２ｆを送信素子として超音波ビームを送信し、７つの素子５２ｂ〜５２ｈを受信素子として超音波エコーを受信して、それぞれ、素子データを取得する。
すなわち、図５（ａ）に示す例では、中心素子（中心となる素子）は、素子５２ｄであり、図５（ｂ）に示す例では、中心素子は素子５２ｅである。
【００５９】
この際において、反射点５４を含む検査対象領域に送信する超音波ビーム５６が、焦点５８で収束して、素子間隔以下に絞れている理想的な場合を考える。
図５（ａ）のように、反射点５４の真上（反射点と焦点とを結ぶ直線上）にある素子５２ｄを中心素子として、送信素子である素子５２ｃ〜５２ｅから超音波ビーム５６を送信し、受信素子である素子５２ａ〜５２ｇで超音波エコーを受信して素子データを取得すると、超音波ビーム５６の焦点５８は、中心素子である素子５２ｄと反射点５４とを結ぶ一直線上にある。この場合、超音波ビーム５６は、反射点５４まで送信されるので、反射点５４から反射される超音波エコーが生成される。
反射点５４からの超音波エコーは、所定角度に拡がる受信経路６０を通って受信素子である素子５２ａ〜５２ｇに受信され、素子５２ａ〜５２ｇによって、図５（ｂ）に示すような素子データ６２が得られる。なお、図５（ｂ）において、縦軸は時間で、横軸は図５（ａ）に一致する方位方向の位置（素子の位置）である（図５（ｄ）も同じ）。
【００６０】
これに対し、図５（ｃ）に示すように、中心素子を１素子分、シフトさせた場合には、反射点５４の真上にある素子５２ｄの隣の素子５２ｅが、中心素子となる。
素子５２ｅを中心素子として、送信素子である素子５２ｄ〜５２ｆから超音波ビーム５６を送信し、受信素子である素子５２ｂ〜５２ｈで超音波エコーを受信する。この際に、同様に超音波ビーム５６が理想的であれば、超音波ビーム５６の送信方向、即ち、中心素子５２ｅと焦点５８とを結ぶ直線上に反射点５４が存在しない。従って、この超音波ビーム５６は、反射点５４に送信されない。
そのため、反射点５４から反射される超音波エコーは生成されず、受信素子である素子５２ｂ〜５２ｈは、反射点５４からの超音波エコーを受信しないので、図５（ｄ）に示すように、反射点からの反射信号が無い素子データとなる（素子データの信号強度が『０』になる）。
【００６１】
しかしながら、実際の超音波ビームは、図６（ａ）および（ｃ）に示す超音波ビーム６４のように、焦点５８で収束した後に拡散するので、素子間隔より幅が広い。
ここで、図５（ａ）と同様に、図６（ａ）のように、反射点５４の真上にある素子５２ｄを中心素子として、素子５２ｃ〜５２ｅを送信素子として超音波ビーム６４を送信した場合には、超音波ビーム５６が幅広であっても、その焦点５８は、素子５２ｄと反射点５４とを結ぶ一直線上にある。従って、超音波ビーム６４は、反射点５４で反射され、超音波エコーが生成される。
その結果、図５（ａ）の場合と同様に、反射点５４からの超音波エコーは、所定角度に拡がる受信経路６０を通って受信素子である素子５２ａ〜５２ｇに受信され、同様に、図６（ｂ）に示すような真の素子データ６６が得られる。
【００６２】
次いで、図５（ｃ）と同様、図６（ｃ）に示すように、中心素子を１素子分、シフトして、隣の素子５２ｅを中心素子として、素子５２ｄ〜５２ｆを送信素子として超音波ビーム５６を送信し、素子５２ｂ〜５２ｈを受信素子として超音波エコーを受信する。この場合でも、超音波ビーム６４は幅広であるため、その超音波の送信方向、即ち、中心素子である素子５２ｅと焦点５８とを結ぶ直線上に反射点５４が存在していなくても、超音波ビーム６４は、反射点５４に送信される（到達する）。
そのため、反射点５４から、超音波ビームの送信方向には、本来、存在しない超音波エコー、所謂ゴーストの反射エコーが発生する。この反射点５４からのゴーストの反射エコーは、図６（ｃ）に示すように、所定角度に拡がる受信経路６０を通って受信素子である素子５２ｂ〜５２ｈに受信される。その結果、素子５２ｂ〜５２ｈによって、図６（ｄ）に示すようなゴーストの素子データ６８が得られることになる。
【００６３】
このようなゴーストの素子データ６８は、素子データから生成される超音波画像の精度を低下させる原因となる。
素子データ処理部２２は、素子データに対応する遅延時間を遅延時間算出部４８で算出し、重ね合わせ処理部４９が、２以上の素子データを、この遅延時間および素子の絶対的な位置に応じて重ね合わせることで、真の素子データを強調して、ゴーストの素子データを減衰させた、高精度な素子データである処理済素子データを生成するものである。
【００６４】
前述のように、遅延時間算出部４８は、受信素子（受信開口）の各素子で受信される素子データの遅延時間を算出する。
すなわち、図６（ｃ）に示す超音波ビーム６４の伝播距離は、超音波ビーム６４が中心素子である素子５２ｅから焦点５８を経由して反射点５４に至る送信経路と、ゴーストの反射エコーが反射点５４から受信素子である素子５２ｂ〜５２ｈの個々に至る受信経路との和となる。
この図６（ｃ）に示す超音波ビーム６４の伝播距離は、図６（ａ）に示す超音波ビーム６４の伝播距離、すなわち、超音波ビーム６４が中心素子５２ｄから焦点５８を経由して反射点５４に至る送信経路と、真の超音波エコーが反射点５４から受信素子である素子５２ａ〜５２ｇに至る受信経路との和より長くなる。
そのため、図６（ｄ）に示すようなゴーストの素子データ６８は、図６（ｂ）に示すような真の素子データ６６に対して、遅延することになる。
【００６５】
素子データ処理部２２の遅延時間算出部４８において、真の素子データに対するゴーストの素子データの時間差、即ち遅延時間は、音速、送信素子、超音波ビームの焦点、被検体の反射点、および受信素子の幾何学的配置から算出される。
したがって、遅延時間の計算には、プローブ１２の形状（素子間隔、リニア、コンベックスなど）、音速、焦点の位置、送信開口、受信開口などの情報が必要である。遅延時間算出部４８では、操作部３２によって入力された、若しくは格納部３４に格納されたこれらの情報を取得して、遅延時間の計算を行う。なお、音速は、固定値（例えば、１５４０ｍ／ｓｅｃ）を用いてもよく、あるいは、音速算出部を有する場合には、音速算出部が算出した音速（環境音速）を用いてもよく、あるいは、操作者が入力できるようにしてもよい。
遅延時間は、例えば、送信素子、超音波ビームの焦点、被検体の反射点、および受信素子の幾何学的配置から算出される、送信素子から焦点を経て反射点に至る超音波ビームの送信経路および反射点から受信素子に至る真の反射超音波エコーまたはゴーストの反射信号の受信経路の合計長さ（伝播距離）と、音速によって算出される伝播時間の差から算出することができる。
【００６６】
本発明では、例えば、図７（ａ）および図７（ｂ）に示すようにして、真の超音波エコーとゴーストの反射エコーの場合の超音波ビームの送信経路および受信経路の長さを求めることができる。なお、図７において、ｘ方向は方位方向で、ｙ方向は深度方向である。
また、図７（ａ）は、図６（ａ）と同様の超音波の送受信を行い、図７（ｂ）は、図６（ｃ）と同様の超音波の送受信を行うものである。
【００６７】
真の超音波エコーの場合、図７（ａ）（図６（ａ））に示すように、中心素子である素子５２ｄと、焦点５８と、反射点５４とは、一直線上に位置している（方位方向の位置が一致している）。すなわち、中心素子５２ｄの真下に、焦点５８および反射点５４が位置している。
従って、中心素子である素子５２ｄの位置をｘ−ｙの２次元座標上の座標（ｘ０、０）とすると、焦点５８および反射点５４のｘ座標も『ｘ０』となる。以下、この送信における焦点５８の位置を座標（ｘ０、ｄｆ）、反射点５４の位置を座標（ｘ０、ｚ）とし、さらに、素子の間隔をＬｅとする。
この際において、中心素子である素子５２ｄから焦点５８を経て反射点５４に至る超音波ビームの送信経路６１の長さ（送信経路距離）Ｌta、および、反射点５４から素子５２dに至る真の反射超音波エコーの受信経路６０の長さ（受信経路距離）Ｌraは、Ｌta＝Ｌra＝ｚによって算出できる。
したがって、真の超音波エコーの場合、超音波エコーの伝播距離Ｌuaは、Ｌua＝Ｌta＋Ｌra＝２ｚとなる。
【００６８】
次いで、図７（ｂ）に示すように、送信素子および受信素子をｘ方向（方位方向）に１素子分ずらして（図中右方向にシフトして）、中心素子を素子５２ｅとして送受信を行う。図６（ｃ）で示したように、この場合には、反射点５４で反射されるのは、ゴーストの反射エコーとなる。
反射点５４は、素子５２ｄの真下（方位方向の同位置）に位置している。従って、図７（ｂ）に示すように、この送受信では、中心素子である素子５２ｅと、反射点５４とのｘ方向の位置は、１素子分すなわちＬｅだけ、ｘ方向にずれる。
反射点５４とｘ方向の位置が一致する素子５２ｄの座標が（ｘ０、０）であるので、中心素子である素子５２ｅの座標は（ｘ０＋Ｌｅ、０）、この送信における焦点５８の座標は（ｘ０＋Ｌｅ、ｄｆ）となる。なお、前述のように、反射点５４の座標は（ｘ０、ｚ）である。
従って、中心素子である素子５２ｅから焦点５８を経て、反射点５４に至る超音波ビームの送信経路６１の長さ（送信経路距離）Ｌtbは、Ｌtb＝ｄｆ＋√{(ｚ−ｄｆ)2＋Ｌｅ2}で算出できる。他方、反射点５４から、直下（ｘ方向＝方位方向の同位置）の素子５２ｄに至るゴーストの反射信号の受信経路６０の長さ（受信経路距離）Ｌrbは、Ｌrb＝ｚによって算出できる。
したがって、ゴーストの反射エコーの場合の超音波の伝播距離Ｌubは、Ｌub＝Ｌtb＋Ｌrb＝ｄｆ＋√{(ｚ−ｄｆ)2＋Ｌｅ2}＋ｚとなる。
【００６９】
こうして、図７（ａ）に示す幾何学配置で求めた送信経路６１の距離Ｌtaと受信経路６０の距離Ｌraを合計した超音波の伝播距離Ｌuaを、音速で割った値が、真の超音波エコーの伝播時間となる。また、図７（ｂ）に示す幾何学配置で求めた送信経路６１の距離Ｌtbと受信経路６０の距離Ｌrbを合計した超音波の伝播距離Ｌubを、音速で割った値がゴーストの反射エコーの伝播時間となる。
遅延時間は、反射点５４と中心素子とのｘ座標が一致している時の真の超音波エコーの伝播時間から、反射点５４と中心素子とのｘ座標を１素子間隔ずつずらしたときのゴーストの反射エコーの伝播時間の差から求められる。
なお、図７（ａ）および図７（ｂ）の幾何学モデルでは、送信経路６１が焦点５８を経由したモデルになっているが、本発明はこれに限定されず、例えば、焦点５８を経由せずに、直接、反射点５４に至る経路であっても良い。
【００７０】
また、図７（ａ）および図７（ｂ）の幾何学モデルはリニアプローブの場合であるが、これに限らず他のプローブにおいても、プローブの形状から同様の幾何学計算を行うことができる。
例えば、コンベックスプローブの場合、プローブの半径と素子間隔の角度から幾何学モデルを設定して、同じように計算することができる。
【００７１】
また、ステア送信の場合には、送信角度などの情報を考慮した幾何学モデルを用い、送信素子と反射点との位置関係から、真の素子データおよびその周辺のゴーストの素子データの遅延時間を算出することができる。
さらに、幾何学モデルよって遅延時間を算出する方法に限らず、あらかじめ装置の計測条件に合わせて高輝度反射点を計測した計測結果から、計測条件毎に遅延時間を求めておき、その遅延時間を装置内に記憶しておくことで、同じ計測条件の遅延時間を読み出すようにしておいてもよい。
【００７２】
図７（ｃ）に、真の素子データ６６およびゴーストの素子データ６８を示す。
図７（ｃ）において、方位方向の中央が、真の素子データ６６、すなわち、中心素子と反射点５４とでｘ方向の位置が一致している送受信によって得られた素子データ（図示例では、素子５２ｄを中心素子とした素子データ）である。また、中央の両側が、ゴーストの素子データ、すなわち、中心素子と反射点５４とでｘ方向の位置が一致していない送受信によって得られた素子データ（図示例では、素子５２ｃや素子５２ｅ等を中心素子とした素子データ）である。
また、図７（ｄ）に、上述の幾何学計算から得られた真の素子データ６６に対する、ゴーストの素子データ６８の遅延時間の一例を示す。真の素子データ６６を中心に、ゴーストの信号の素子データ６８は、ｘ方向すなわち方位方向に対称的に時間が遅れることが示されている。
なお、こうして、素子データ処理部２２の遅延時間算出部４８において算出された遅延時間は、整相加算部３８における遅延補正に用いることもできる。
【００７３】
後に詳述するが、本発明においては、或る注目素子を中心素子とする超音波ビームの送信（注目素子の送受信）で得られた素子データに、中心素子が異なり、かつ、超音波ビームの少なくとも一部が重複する超音波ビームの送信で得られた素子データを、超音波エコーの受信時間と素子の位置とを合わせて重ね合わせることで、注目素子の処理済素子データ（第２の素子データ）を生成する（注目素子の素子データを再構築する）。
図７において、反射点５４は、注目素子の真下（方位方向の同位置／注目素子と焦点とを結ぶ直線上）に位置する或るサンプリングポイントの位置（素子データの出力位置）を示している。本発明では、注目素子の送受信におけるサンプリングポイントへの送受信経路を真の素子データの送受信経路と見なし、中心素子が異なる超音波の送受信（周辺素子からの送受信）における同じサンプリングポイントへの送受信経路をゴーストの送受信経路と見なして、両送信経路の差から、遅延時間を算出して、この遅延時間を用いて素子データの時間を合わせて、重ね合わせを行う。言い換えれば、注目素子の送受信で得られた素子データを真の素子データ、中心素子が異なる送受信で得られた素子データをゴーストの素子データと仮定して、遅延時間を算出し、素子データの重ね合わせを行う。
本発明では、全てのサンプリングポイント（全ての素子データの出力位置）に対応して、同様の考え方で遅延時間を算出して、素子データの重ね合わせを行い、各素子の処理済素子データを生成する。
ここで、実際には、方位方向（ｘ方向）にサンプリングポント（反射点）の位置をズラしても、受信経路の長さ（受信経路距離Ｌｒｂ）は変わらない。従って、各注目素子に関しては、深さ方向（ｙ方向）の各サンプリングポイント毎に、中心素子が異なる送受信による素子データとの遅延時間の算出を行えばよい。
また、この重ね合わせ処理においては、真の素子データがどの素子データであるかを知っている必要はない。すなわち、後に図８を用いて詳述するが、この重ね合わせ処理では、注目素子の素子データが真の素子データであれば、自動的に強調されて素子データが残り、ゴーストであれば素子データは打ち消される。すなわち、注目素子の素子データが真の素子データである場合には、遅延時間による処理が一致して信号が強調され、注目素子の素子データがゴーストの素子データである場合には、遅延時間による処理が一致せずに、信号が打ち消される。
【００７４】
次に、本発明の素子データ処理部２２の重ね合わせ処理部４９においては、こうして遅延時間算出部４８において算出された遅延時間を用いて、素子データの重ね合わせ処理を行う。
なお、重ね合わせ処理部４９における重ね合わせ処理では、重ね合わせる時の重ね合わせ素子データ数と重ね合わせ処理方法の情報が必要になるが、これらは、予め、操作部３２によって入力しておいても良いし、格納部３４に格納しておいても良い。
【００７５】
図８（ａ）〜（ｈ）に、重ね合わせ処理部４９で行われる、重ね合わせ処理の一例を示す。なお、図８に示す例は、素子データ数が５つ、重ね合わせ素子データ数が３つの場合である。
図８（ａ）は、５回の超音波の送受信によって得られた５つの素子データを横に並べて表示している。また、図８（ａ）は、素子データ毎に、超音波ビームを送信して、超音波エコーを受信した様子を表している。各素子データの横軸は、受信素子を表しており、それぞれの素子データにおいて超音波ビームの送受信における中心素子を中心にして表示している。縦軸は、受信時間を表す。この例では、例えば前記素子５２ｂ〜５２ｆなど、中心素子を、１素子ずつ、ずらして、５回の超音波の送受信を行っている。
図８では、中央の素子データにおける中心素子の真下にのみ、１つの反射点が存在している状態を示す。すなわち、５つの素子データのうち、真中の素子データでは、超音波の送受信において、反射点からの真の超音波エコーが受信されている。つまり、真中の素子データは、真の素子データである。
【００７６】
真中の素子データ以外の両側２つの素子データについては、超音波の送受信の中心素子の真下には反射点は存在していない。しかしながら、送信した超音波ビームの広がりによって、真中の素子データの送信素子の真下に存在する反射点に超音波ビームが当たることで生じた反射エコーの素子データ、即ちゴーストの素子データが写り込んでいる。
ゴーストの素子データは、真の素子データから離れるほど、反射点までの超音波の伝播時間が長くなるため、真の素子データよりも受信時間が遅くなる。また、反射点からの超音波エコーが初めに受信される受信素子の位置は、反射点の真上の素子（反射点と方位方向の位置が一致する素子）である。
ここで、図８の各素子データの横軸は、超音波ビームの送信時における中心素子を中心にしている。従って、図８に示す例では、素子データ毎に、この中心素子を１素子ずつずらして送信していることから、各素子データにおいて方位方向の素子の絶対位置は、１素子ずつずれている。つまり、真中の素子データでは、反射点からの反射信号が初めに受信される受信素子は中心素子であるが、両隣の素子データにおいては、真中の素子データよりも１素子ずれており、右側の素子データでは左に１素子ずれ、左側の素子データでは右に１素子ずれている。さらに、両端の素子データでは、真中の素子データよりも２素子ずれており、右端の素子データでは左に２素子ずれ、左端の素子データでは右に２素子ずれている。このように、ゴーストの信号は、真の信号に対して、受信時間が遅れるだけでなく、受信素子の方向に対してもずれを生じている。
【００７７】
図８（ｂ）に、図８（ａ）に示す５素子分の素子データの真中の素子データに対する受信時間の遅延時間の一例を示す。
重ね合わせ処理部４９では、図８（ｂ）に示す遅延時間を用いて、真中の素子データの中心素子を注目素子とした場合に、注目素子を中心に、重ね合わせる素子の数分、図示例では３素子分だけ遅延時間補正を行うと共に、注目素子との素子数分、図示例では両側に１素子分だけ方位方向にシフトさせて、即ち位相を合わせて３素子分の素子データを重ね合わせ、注目素子の１つの重ね合わせ処理済素子データとして求める。
すなわち、本例においては、注目素子を中心素子とする超音波の送受信によって得られた素子データ（以下、注目素子の素子データとも言う）に、注目素子の隣の素子を中心素子とする超音波の送受信によって得られた素子データ（以下、隣の素子の素子データとも言う）を重ね合わせて、注目素子の素子データの処理済素子データを生成している。
【００７８】
こうして得られた注目素子の重ね合わせ処理済素子データを図８（ｃ）に示す。
前述のように、図８（ａ）に示す注目素子の素子データは、中心素子（すなわち注目素子）の真下に反射点が存在する、真の素子データである。また、注目素子に隣接する素子を中心素子とする送受信によって得られた素子データも、反射点に入射して、反射された超音波エコーのデータである。
従って、注目素子の両側の隣の素子の素子データに遅延時間補正および方位方向のシフトを行って位相合わせを行うと、図８（ｃ）に示すように、隣の素子の素子データと、注目素子の素子データとは、位相が合うので高輝度位置で重なり合う。そのため、これらの素子データを、例えば加算すると素子データ値は大きな値（高輝度値）を示し、例えば、平均して平均値を求めても強調された値（高輝度値）を示す。
【００７９】
これに対し、図８（ｄ）は、図８（a）と同じ素子データであるが、真中の素子データの左隣の素子データの中心素子を、注目素子とした場合の一例を示す。すなわち、この例は、真下に反射点が存在しない素子を中心素子とする超音波の送受信の、中心素子を注目素子とした場合の一例を示す。従って、この素子を中心素子とする素子データは、ゴーストの素子データである。
図８（ｅ）は、図８（ｂ）と同じものであり、図８（ａ）に示す５素子分の素子データの注目素子の素子データに対する受信時間の遅延時間の一例を示す。即ち、図８（ａ）と図８（ｄ）は同じ素子データであるので、図８（ｄ）に示す５素子分の素子データの真中の素子データに対する受信時間の遅延時間とも同じである。
重ね合わせ処理部４９では、図８（ｅ）（即ち、図８（ｂ）と同じ）に示す遅延時間を用いて、注目素子を中心に、重ね合わせ素子数分、図示例では３素子分だけ遅延時間補正を行うと共に、注目素子との素子数分、図示例では両側に１素子分だけ方位方向にシフトさせて、３素子分の未処理素子データを重ね合わせ、注目素子の１つの重ね合わせ処理済素子データとして求める。
【００８０】
こうして得られた注目素子の重ね合わせ処理済素子データを図８（ｆ）に示す。
図８（ｄ）に示す注目素子の素子データは、ゴーストの素子データである。そのため、注目素子の両側の隣接素子の未処理素子データに遅延時間補正および方位方向のシフトを行って位相合わせを行っても、図８（ｆ）に示すように、隣接素子の各素子データと注目素子の素子データとは、互いに位相が合わないので重なり合わない。このため、これらの３つの素子データを、例えば加算しても、位相が合っていないために、位相が反転している信号などは信号が打ち消しあうため、加算値は大きくならず、例えば、平均して平均値を求めると小さな値を示すことになる。
【００８１】
他の素子データに関しても、注目素子として同様の遅延時間補正および方位方向のシフトを行った結果、図示例の５素子についての隣接する３素子の素子データの重なり状態を図８（ｇ）に示し、これらに対して、重ね合わせ処理として、例えば、加算処理、若しくは平均処理した結果を図８（ｈ）に示す。
図８（ｈ）に示すように、図８（ａ）に示す直下に反射点が存在している中心素子を注目素子とした場合には、真の信号の素子データが高輝度値を持つ重ね合わせ処理済素子データとして求められる。これに対して、その両側の各２素子の全４素子では、ゴーストの素子データは互いに位相が合わない素子データを加算し、または平均化する。そのため、素子データ同士が、互いに打ち消し合うことになるため、ゴーストの重ね合わせ処理済素子データは、その値が真の信号の素子データである高輝度値を持つ重ね合わせ処理済素子データに対して小さくなり、真の素子データに対してゴーストの素子データの影響を低減させることができ、または、その影響を無視できる程、小さくすることができる。
【００８２】
すなわち、或る素子を注目素子として、この注目素子を中心素子とする超音波ビームの送信によって得られた素子データ（注目素子の素子データ）に、中心素子が異なり、かつ、超音波ビームの送信領域が重なり合う超音波の送受信によって得られた素子データを、１以上、時間および方位方向の位置合わせを行って重ね合わせて、注目素子の素子データに対応する処理済素子データを生成することにより（言い換えれば、超音波ビームの少なくとも一部が重なり、かつ、中心素子が異なる送受信による素子データを用いた、注目素子の素子データの再構築（補正）を行うことにより）、真の素子データを高輝度化して、かつ、ゴーストの素子データを小さくできる。
そのため、処理済素子データに整相加算や検波処理を行って、受信データを生成して、超音波画像を生成することにより、ゴーストの影響を無くし、すなわち音線上の全ての点で焦点を結んだのに等しい素子データで超音波画像生成できるので、高輝度で、鮮鋭性に優れた、高画質な超音波画像を生成することができる。
【００８３】
なお、以下の説明では、この処理済素子データの生成を、マルチライン処理とも言う。
【００８４】
本発明において、中心素子とは、送信の開口数（超音波の送信を行う素子数）が奇数の場合には、方位方向の中央の素子である。
他方、開口数が偶数の場合には、方位方向の中央の素子のいずれかを中心素子とし、あるいは、方位方向の真中に素子が有ると仮定して、中心素子とする。すなわち、開口数が偶数の場合には、開口の真中のライン上に焦点が有るものとして計算を行ってもよい。
【００８５】
なお、重ね合わせ処理部４９における重ね合わせ処理方法としては、単に、加算するだけでなく、平均値や中央値をとってもよいし、係数を掛け合わせた上で加算してもよい。なお、平均値や中央値を取ることは、素子データレベルでの平均化フィルタやメディアンフィルタを掛けることに相当すると考えられるが、平均化フィルタやメディアンフィルタの代わりに、通常の画像処理で行われる逆フィルタなども適用してもよい。
あるいは、重ね合わせる各素子データ同士を比較し、類似している場合には最大値、類似していない場合には平均値、分布の偏りがある場合には中間値をとるなど、これに限らず、重ね合わせる各素子データの特徴量に基づいて重ね合わせ処理を変えてもよい。
【００８６】
また、注目素子の素子データに重ね合わせる素子データの数は、図示例の２つに限定はされず、１つでもよく、あるいは、３つ以上でもよい。すなわち、注目素子の素子データに重ね合わせる素子データの数は、要求される処理速度（フレームレート等）や画質などに応じて、適宜、設定すればよい。
ここで、注目素子の素子データに重ね合わせる素子データ数は、超音波ビームのビーム幅の広がり程度に合わせた方が望ましい。従って、深さによってビーム幅が変わる場合には、重ね合わせる素子データ数も深さによって変更してもよい。
また、ビーム幅は送信開口数に依存することから、送信開口数に応じて重ね合わせる素子データの数を変更してもよい。あるいは、画像の輝度値などの特徴量に基づいて重ね合わせ素子データ数を変更してもよいし、重ね合わせ素子データ数を複数パターンを変えて作成した画像から最適な重ね合わせ素子データ数を選択してもよい。
【００８７】
なお、以上のマルチライン処理では、中心素子が異なり、かつ、超音波ビームの送信方向が平行（角度が同一）である、複数の超音波ビームの送信によって得られた素子データを重ね合わせることにより、注目素子の素子データの処理済素子データを生成したが、本発明は、これに限定はされない。
例えば、中心素子を同一として、送信方向（角度）が異なる複数の超音波ビームの送信によって得られた素子データを重ね合わせることにより、処理済素子データを生成してもよい。この際において、何れの超音波ビームの送信で得られた素子データの処理済素子データを生成するか（すなわち、どの方向の音線の処理済素子データを生成するか）は、診察部位やプローブの種類等に応じてデフォルトで設定されていてもよく、あるいは、操作者が選択するようにしてもよい。
また、中心素子が異なり、平行な超音波ビームの送信で得られた素子データと、中心素子を同一として、送信方向が異なる超音波ビームの送信で得られた素子データとの両方を用いて、処理済素子データを生成してもよい。
【００８８】
前述のように、素子データ処理部２２は、生成した処理済素子データを、画像生成部２４（整相加算部３８）に送る。
処理済素子データを供給された画像生成部２４では、前述のように、整相加算部３８が処理済素子データを整相加算して受信フォーカス処理を行って受信データを生成し、検波処理部４０が、受信データに減衰補正および包絡線検波処理を施すことにより、Ｂモード画像データを生成する。
画像生成部２４では、さらに、ＤＳＣ４２が、Ｂモード画像データを通常のテレビジョン信号の走査方式に対応する画像データにラスター変換し、画像処理部４４で階調処理等の所定の処理を施す。
画像処理部４４は、生成したＢモード画像データを画像メモリ４６に格納し、および／または、表示制御部２６に送って、被検体のＢモード画像を表示部２８に表示する。
【００８９】
前述のとおり、１つの超音波画像の生成において、各送信によって得られた複数のデータ（素子データあるいは受信データ）を受信時間や素子の位置に応じて重ね合わせて、データを補正する、いわゆるマルチライン処理を行う際に、組織の拍動や手ブレによって画像上の動きがあると、各素子データを取得したそれぞれタイミングでの画像上の組織の状態（位置）が異なってしまう。すなわち、各素子データは異なる状態の組織の情報を有することになる。そのため、このような素子データを、受信時間や素子の位置に応じて重ね合わせを行っても、画像上で位置がずれてしまい、マルチライン処理の際に適切に重ね合わせることができないという問題があった。
【００９０】
これに対して、マルチライン処理の際に、連続するフレーム間で画像の相関を取ることで画像上の動きを検出して、動きが大きい場合には、重ね合わせるデータの数を少なくすることで、動きの影響を押さえることが行われている。しかしながら、重ね合わせるデータの数を少なくすると、通常の超音波画像に近づいてしまうため、マルチライン処理を行っても十分に高画質な画像を得ることができないという問題があった。また、動き自体に対しては何ら補正をしていないため、動きの影響により画質が低下してしまうという問題があった。
【００９１】
これに対して、本発明の超音波診断装置１０は、隣接するライン間で素子データの相互相関を評価することで画像上の動き量Ｍを算出し、各素子データを動き量Ｍで補正して、マルチライン処理を行う。
各素子データの動き量Ｍを補正することにより、組織の拍動や手ブレ等の画像上の動きの影響を低減して、実質的に同じ状態（位置）にある組織の情報を有する素子データとみなすことができる。従って、動き量を補正した素子データを用いてマルチライン処理をすることにより、組織の拍動や手ブレ等の画像上の動きがあった場合でも、素子データの重ね合わせを行った際に、適切に重ね合わせることができる。これにより、高画質な超音波画像を得ることができる。
【００９２】
以下、図９に示すフローチャートを参照して、超音波診断装置１０における信号処理方法（本発明の信号処理方法）について、詳細に説明する。
本発明のプログラムは、超音波診断装置１０が有するコンピュータに、以下の信号処理方法を実行させるプログラムである。
【００９３】
超音波診断装置１０において、まず、制御部３０からの指示に応じて、１番目（１ライン目）の素子データを取得するために、送信部１４が、プローブ１２（振動子アレイ３６）の対応する超音波トランスデューサ（素子）を駆動して（所定の開口数、開口位置で）、被検体に超音波ビームを送信し、被検体で反射された超音波エコーが超音波トランスデューサ（素子）によって受信され、１ライン目のアナログの受信信号が受信部１６に出力される。
受信部１６は、１ライン目のアナログの受信信号に、増幅等の所定の処理を施して、Ａ／Ｄ変換部１８に供給する。
Ａ／Ｄ変換部１８は、受信部１６から供給された１ライン目のアナログの受信信号をＡ／Ｄ変換して、デジタルの受信信号である１ライン目の素子データとする。
１ライン目の素子データは、素子データ記憶部２０に記憶される。
【００９４】
１ライン目のスキャン（超音波の送受信）が終了すると、開口位置をずらして、すなわち、１ライン目に隣接する２ライン目に対応する超音波トランスデューサを駆動して、同様に超音波の送受信を行い、２ライン目の素子データを取得し、素子データ記憶部２０に記憶される。
ここで、２ライン目の素子データを取得すると、動き量算出部２１は、１ライン目の素子データと２ライン目の素子データとを素子データ記憶部２０から読み出し、２つの素子データの相互相関を評価して、２ライン目の素子データの動き量Ｍ２を算出し記憶する。
【００９５】
また、２ライン目のスキャンが終了すると、同様に３ライン目のスキャンを行い、３ライン目の素子データを取得する。動き量算出部２１は、２ライン目と３ライン目の素子データを素子データ記憶部２０から読み出し、３ライン目の素子データの動き量Ｍ３を算出し記憶する。
このように、超音波診断装置１０は、超音波プローブ１２の開口をずらしながら、順次、ｎライン目のスキャンを行い、かつ、動き量算出部２１でｎライン目の素子データの動き量Ｍｎを算出し記憶する。
【００９６】
全てのラインの素子データの取得、および、動き量Ｍｎの算出が終了すると、素子データ処理部２２は、動き量の補正を行い、マルチライン処理を行って、処理済素子データを生成する。
すなわち、前述のように、まず、動き量補正部４７が、１ライン目の素子データを基準として、各素子データを動き量Ｍｎに基づいて補正する。例えば、５ライン目の素子データに対しては、動き量Ｍ２＋Ｍ３＋Ｍ４＋Ｍ５分だけ時間軸上でデータをシフトする。これにより、各補正後素子データは、同じ状態（タイミング）の組織の情報を有するデータとみなすことができる。
【００９７】
次に、素子データ処理部２２は、前述の図７に示すように、例えば、注目素子と、その両隣の素子とに対して、注目素子の素子データに対する、両隣の素子の素子データの遅延時間を算出し、隣の素子の補正後素子データの遅延時間補正および方位方向のシフトを行い、注目素子の補正後素子データに、両側の隣の素子の補正後素子データを重ね合わせて、注目素子の処理済素子データを生成する。このとき、補正後素子データは、動き量に基づいて補正されているので、画像上の動きがあった場合でも、素子データを適切に重ね合わせることができる。
【００９８】
素子データ処理部２２は、所定の複数のラインに対応する補正後素子データそれぞれに対して、素子データの重ね合わせを行って、複数の処理済素子データを生成する。素子データ処理部２２は、生成した処理済素子データを、画像生成部２４に供給する。画像生成部２４は、この処理済素子データを用いて、超音波画像（Ｂモード画像データ）を生成する。このとき、適切に重ね合わせられた処理済素子データを用いているので、高画質な超音波画像を得ることができる。
【００９９】
なお、動き量算出部２１において、比較する素子データ同士の相関が低く動き量Ｍの算出が困難な場合には、素子データ処理部２２では、その素子データは、他の素子データを処理する際に重ね合わせる素子データとして使用しないようにすればよい。また、使用しない素子データがある場合には、重ね合わせる素子データの数を変えないように、他のラインの素子データを利用するようにしてもよい。
また、動き量Ｍを算出するのが困難な素子データが多数ある場合には、素子データ処理部２２によるマルチライン処理を行わずに、通常の超音波画像を生成するようにしてもよい。
【０１００】
また、第１実施形態においては、素子データ処理部２２は、動き量補正部４７において、動き量Ｍに基づいて素子データを補正した後に、重ね合わせ処理部４９において、素子データの重ね合わせを行う構成としたが、これに限定はされず、動き量補正部４７を有さずに、重ね合わせ処理部４９において、動き量Ｍ、受信時間、素子の位置に応じて重ね合わせを行うようにしてもよい。
【０１０１】
また、第１実施形態においては、動き量算出部２１は、素子データ同士を比較して動き量Ｍを算出する構成としたが、本発明はこれに限定はされず、整相加算部３８で素子データを整相加算後の受信データ同士を比較して動き量Ｍを算出する構成としてもよい。
【０１０２】
図１０に、本発明の第２実施形態である超音波診断装置１００の一例をブロック図によって概念的に示す。
なお、図１０に示す超音波診断装置１００は、動き量算出部２１に代えて動き量算出部１０２を有し、信号の流れが異なる以外には、図１に示す超音波診断装置１０と、同じ構成を有するので、同一の構成要素には、同一の参照符号を付し、その詳細な説明は省略する。
【０１０３】
超音波診断装置１００は、超音波プローブ１２と、超音波プローブ１２に接続される送信部１４及び受信部１６と、Ａ／Ｄ変換部１８と、素子データ記憶部２０と、動き量算出部１０２と、素子データ処理部２２と、画像生成部２４と、表示制御部２６と、表示部２８と、制御部３０と、操作部３２と、格納部３４とを有する。
【０１０４】
整相加算部３８は、第１実施形態と同様に、素子データ処理部２２から供給される処理済素子データを整相加算するものである。また、第２実施形態においては、整相加算部３８は、素子データ記憶部２０に記憶された（第１の）素子データを読み出し、整相加算を行って、第１の受信データを生成する。整相加算部３８は、生成した第１の受信データを動き量算出部１０２に供給する。
【０１０５】
動き量算出部１０２は、整相加算部３８から供給された、隣接するラインの第１の受信データ同士の相互相関を取ることで、画像上の動き量Ｍを算出する部位である。
動き量算出部１０２による相互相関の評価方法は、動き量算出部２１と同様の方法を利用することができる。
【０１０６】
図１１（Ａ）〜（Ｃ）に、動き量算出部１０２による動き量Ｍの算出の一例を説明するための概念図を示す。
図２（Ａ）と同様に、図１１（Ａ）は、振動子アレイ３６と被検体内とを模式的に示す図である。また、図１１（Ｂ）は、図１１（Ａ）に示すｎ番目の素子（超音波トランスデューサ）を中心素子として超音波を送受信して得られた素子データ（ｎ番目の素子データ）、および、この素子データを整相加算して得られた受信データ（ｎ番目の受信データ）を示す図であり、図１１（Ｃ）は、図１１（Ａ）に示すｎ＋１番目の素子を中心素子として超音波を送受信して得られた素子データ（ｎ＋１番目の素子データ）および、この素子データを整相加算して得られた受信データ（ｎ＋１番目の受信データ）を示す図である。
【０１０７】
また、図１１（Ｂ）は、ｎ番目の素子を中心素子として超音波を送受信した際に、組織の境界が、図１１（Ａ）の実線の位置にあった時に取得された素子データおよび受信データを示すものである。
一方、図１１（Ｃ）は、ｎ＋１番目の素子を中心素子として超音波を送受信した際に、組織の境界が、同図中の一点鎖線の位置あった時に取得された素子データおよび受信データを示すものである。
【０１０８】
ここで、ｎ＋１番目の素子を中心素子として超音波を送受信した際に、組織の境界が同図中の実線の位置にあったとすると、白丸で示す位置を反射点として、図１１（Ｃ）に破線で示す素子データおよび受信データを得る。すなわち、図１１（Ｃ）に実線で示す受信データと破線で示す受信データとの時間差がｎ＋１番目の素子データにおける動き量Ｍｎ＋１となる。この破線で示す受信データは、図１１（Ｂ）に実線で示す受信データと、相似した（ほぼ同等の）信号であるとみなすことができる。従って、ｎ番目の受信データとｎ＋１番目の受信データとの相互相関を取ることで、ｎ＋１番目の素子データにおける動き量Ｍｎ＋１を算出することができる。
【０１０９】
動き量算出部１０２は、全てのラインについて、それぞれ隣接するライン同士で受信データの相互相関を取って、各受信データの動き量Ｍを算出する。
動き量算出部１０２は、算出した動き量Ｍの情報を素子データ処理部２２に供給する。
【０１１０】
素子データ処理部２２は、供給された動き量Ｍの情報に基づいて、素子データ記憶部２０から読み出した各素子データを補正し、補正後素子データのマルチライン処理を行って、処理済素子データを生成する。
素子データ処理部２２は、生成した処理済素子データを画像生成部２４（整相加算部３８）に送る。
【０１１１】
処理済素子データを供給された画像生成部２４では、前述のように、整相加算部３８が処理済素子データを整相加算して受信フォーカス処理を行って受信データを生成し、検波処理部４０が、受信データに減衰補正および包絡線検波処理を施すことにより、Ｂモード画像データを生成する。
画像生成部２４では、さらに、ＤＳＣ４２が、Ｂモード画像データを通常のテレビジョン信号の走査方式に対応する画像データにラスター変換し、画像処理部４４で階調処理等の所定の処理を施す。
画像処理部４４は、生成したＢモード画像データを画像メモリ４６に格納し、および／または、表示制御部２６に送って、被検体のＢモード画像を表示部２８に表示する。
【０１１２】
なお、上記の第２実施形態では、動き量算出部１０２は、第１の素子データを整相加算した第１の受信データを用いて動き量Ｍを算出する構成としたが、本発明はこれに限定はされず、整相加算部３８で第１の素子データを整相加算し、第１の受信データを生成し、検波処理部４０でこの受信データの検波処理を行った後のデータを用いて動き量を算出する構成としてもよい。
あるいは、さらに、検波処理部４０で検波処理した後に、Ｂモード画像データ化したライン上の画像データを用いて動き量を算出する構成としてもよい。
【０１１３】
また、第１実施形態においては、素子データ処理部２２におけるマルチライン処理は、素子データを用いて行う構成としたが、本発明は、これに限定はされず、第１の素子データを整相加算した第１の受信データをマルチライン処理する構成としてもよい。
【０１１４】
図１２に、本発明の第３実施形態である超音波診断装置１１０の一例をブロック図によって概念的に示す。
なお、図１２に示す超音波診断装置１１０は、素子データ処理部２２に代えてデータ処理部１１４を有し、画像生成部２４に代えて画像生成部１１６を有する以外には、図１に示す超音波診断装置１０と同じ構成を有するので、同一の構成要素には、同一の参照符号を付し、その詳細な説明は省略する。
【０１１５】
超音波診断装置１１０は、超音波プローブ１２と、超音波プローブ１２に接続される送信部１４及び受信部１６と、Ａ／Ｄ変換部１８と、素子データ記憶部２０と、動き量算出部２１と、データ処理部１１４と、画像生成部１１６と、表示制御部２６と、表示部２８と、制御部３０と、操作部３２と、格納部３４とを有する。
【０１１６】
図１３に、データ処理部１１４の構成を、ブロック図で概念的に示す。
データ処理部１１４は、動き量補正部４７と、整相加算部１１８と、遅延時間算出部４８と、重ね合わせ処理部１２０とを有する。
【０１１７】
整相加算部１１８は、動き量補正部４７で補正された補正後素子データを整相加算して受信フォーカス処理を行い、第１の受信データを生成する。
ここで、整相加算部１１８は、後述する重ね合わせ処理部１２０で重ね合わせを行う複数の素子データに対して、同じ素子（ライン）を基準として、それぞれ整相加算を行う。
【０１１８】
重ね合わせ処理部１２０は、重ね合わせるデータの数および重ね合わせ処理方法等のデータ処理に関する情報に基づいて、素子データ記憶部２０から素子データを読み出させて、動き量補正部４７で動き量Ｍが補正され、整相加算部１１８で生成された第１の受信データを取得する。
また、重ね合わせ処理部１２０は、遅延時間算出部４８で算出された、それぞれの受信データに対応する遅延時間に基づいて、２以上の第１の受信データを、受信時間上で、即ち時間を合わせて、重ね合わせて、処理済（第２の）受信データを生成する。
【０１１９】
整相加算部１１８および重ね合わせ処理部１２０について、図１４および図１５を用いてより詳細に説明する。
【０１２０】
図１４に、素子データと、これに対応する位置の振動子アレイ３６を概念的に示す。
図１４に示す素子データは、ｎ番目の素子を中心素子として超音波の送受信を行って得られた素子データである。
以下の説明では、例えば、ｎ番目の素子データに対して、ｎ−２番目のラインを基準として整相加算を行い生成した受信データを、ｎ（ｎ−２）番目の受信データと表す。すなわち、ｎ番目の素子データをｉ番目のラインを基準として整相加算して得られた受信データを、ｎ（ｉ）番目の受信データと表す。
【０１２１】
図１５（Ａ）〜（Ｃ）は、整相加算部１１８による整相加算、および、重ね合わせ処理部１２０による重ね合わせ処理を説明するための図である。
図１５（Ａ）は、それぞれｎ−２番目の素子データ、ｎ−１番目の素子データ、ｎ番目の素子データを示す。
一例として、ｎ−２番目、ｎ−１番目、ｎ番目の受信データを用いて、ｎ番目の受信データに対応する処理済受信データを生成する場合を考える。
【０１２２】
ｎ番目の受信データに対応する処理済受信データを生成する場合には、整相加算部１１８は、ｎ番目の素子を基準として、各素子データの整相加算を行う。すなわち、同図中、実線で示すラインを基準としてそれぞれの素子データの整相加算を行う。整相加算により、図１５（Ｂ）に示す第１の受信データ（ｎ−２（ｎ）番目の受信データ、ｎ−１（ｎ）番目の受信データ、ｎ（ｎ）番目の受信データ）が生成される。
【０１２３】
次に、重ね合わせ処理部１２０は、整相加算部１１８が生成した第１の受信データを、遅延時間算出部４８で算出された、それぞれの受信データに対応する遅延時間に基づいて、各第１の受信データを、時間を合わせて重ね合わせて、図１５（Ｃ）に示すようなｎ番目の受信データに対応する処理済受信データを生成する。
データ処理部１１４は、処理済受信データを画像生成部１１６に供給する。
【０１２４】
画像生成部１１６は、検波処理部４０と、ＤＳＣ４２と、画像処理部４４と、画像メモリ４６とを有する。
【０１２５】
画像生成部１１６では、検波処理部４０が、受信データに減衰補正および包絡線検波処理を施すことにより、Ｂモード画像データを生成する。さらに、ＤＳＣ４２が、Ｂモード画像データを通常のテレビジョン信号の走査方式に対応する画像データにラスター変換し、画像処理部４４で階調処理等の所定の処理を施す。
画像処理部４４は、生成したＢモード画像データを画像メモリ４６に格納し、および／または、表示制御部２６に送って、被検体のＢモード画像を表示部２８に表示する。
【０１２６】
以上、本発明の超音波診断装置、信号処理方法およびプログラムに関して詳細に説明したが、本発明は、上述の例に限定はされず、本発明の要旨を逸脱しない範囲において、各種の改良や変更を行ってもよいのは、もちろんである。
【０１２７】
例えば、１画像分の素子データを記憶する素子データ記憶部２０を有さずに、マルチライン処理を行うために、１つの注目素子に対応して、毎回、必要な回数の超音波の送受信を行うようにしてもよい。
【符号の説明】
【０１２８】
１０、１００、１１０  超音波診断装置
１２  （超音波）プローブ
１４  送信部
１６  受信部
１８  Ａ／Ｄ変換部
２０  素子データ記憶部
２１、１０２  動き量算出部
２２  素子データ処理部
２４、１１６  画像生成部
２６  表示制御部
２８  表示部
３０  制御部
３２  操作部
３４  格納部
３６  振動子アレイ
３８、１１８  整相加算部
４０  検波処理部
４２  ＤＳＣ
４４  画像処理部
４６  画像メモリ
４７  動き量補正部
４８  遅延時間算出部
４９、１２０  重ね合わせ処理部
５２  素子
５４  反射点
５６、６４  超音波ビーム
５８  焦点
６０  受信経路
６１  送信経路
６２  素子データ
６６  真の素子データ
６８  ゴーストの素子データ
１１４  データ処理部
【図１】
2014183922.tif 000003
【図２】
2014183922.tif 000004
【図３】
2014183922.tif 000005
【図４】
2014183922.tif 000006
【図５】
2014183922.tif 000007
【図６】
2014183922.tif 000008
【図７】
2014183922.tif 000009
【図８】
2014183922.tif 000010
【図９】
2014183922.tif 000011
【図１０】
2014183922.tif 000012
【図１１】
2014183922.tif 000013
【図１２】
2014183922.tif 000014
【図１３】
2014183922.tif 000015
【図１４】
2014183922.tif 000016
【図１５】
2014183922.tif 000017